(57)【要約】      （修正有）【課題】ピンチボルトタイプのボールジョイントにおいて、小径開口部のシール性能が良好なボールジョイント用ダストカバーを提供する。【解決手段】ボールスタッドの軸は、切り欠き部５１を備えたピンチボルトタイプのボルト手段によりナックル５に締め付け固定され、一端大径開口部がソケットの外周面に固定保持され、他端小径開口部が軸４に保持され、前記他端小径開口部側の軸４上にプレート部材が保持された構成のボールジョイント用ダストカバーにおいて、プレート部材が、硬質材製の環状板部材２１と、環状板部材２１の内周側に一体的に形成されたゴム状弾性材製の環状シール部２２と、環状板部材２１のナックル５側表面に切り欠き部５１と係合するゴム状弾性材製の係合突起２３を設けると共に、環状シール部２２が、ナックル５の内周面に設けた環状段部５２と軸４の外周面との間で圧縮保持されている。【選択図】図１
2015152058.tif 000002
【特許請求の範囲】
【請求項１】
ボールスタッド（１）の一端に形成された球頭部がソケット（３）内に保持され、前記ボールスタッド（１）の他端の軸（４）は、切り欠き部（５１）を備えたピンチボルトタイプのボルト手段（５２）によりナックル（５）に締め付け固定され、一端大径開口部（８）が前記ソケット（３）の外周面に固定保持され、他端小径開口部（７）が前記軸（４）に保持され、前記他端小径開口部（７）側の前記軸（４）上にプレート部材（２）が保持された構成のボールジョイント用ダストカバー（６）において、
前記プレート部材（２）が、硬質材製の環状板部材（２１）と、前記環状板部材（２１）の内周側に一体的に形成されたゴム状弾性材製の環状シール部（２２）と、前記環状板部材（２１）の前記ナックル（５）側表面に前記切り欠き部（５１）と係合するゴム状弾性材製の係合突起（２３）を設けると共に、前記環状シール部（２２）が、前記ナックル（５）の内周面に設けた環状段部（５２）と前記軸（４）の外周面との間で圧縮保持されていることを特徴とするボールジョイント用ダストカバー。
【請求項２】
前記環状シール部（２２）の内周面に、前記軸（４）の外周面と接するシールリップ部（２２１）が形成されていることを特徴とする請求項１記載のボールジョイント用ダストカバー。
【請求項３】
前記他端小径開口部（７）に設けたダストリップ（７１）が、前記環状板部材（２１）に密接していることを特徴とする請求項１または２記載のボールジョイント用ダストカバー。
【発明の詳細な説明】
【技術分野】
【０００１】
本発明は、ボールジョイント用ダストカバーに関する。
また、本発明は、自動車懸架装置、操舵装置等に使用されるボールジョイント用ダストカバーに関する。
【背景技術】
【０００２】
従来、ボールジョイント継ぎ手部の防塵、防水を目的としてダストカバーが装着されているボールジョイントとしては、図５に示す様なテーパー合わせボールジョイントと、図６及び図７に示す様なピンチボルトタイプのボールジョイントの２種類に分類される。
この２種類のボールジョイントは、主にナックルとスタッドの締結方法が異なっている。
図５に示すテーパー合わせボールジョイントは、ボールスタッド１００の軸４００のテーパー面が重なる位置で、ナックル５００の位置を決定する。
【０００３】
すなわち、軸４００表面とナックル５００との間に間隙が存在しない構造となっている為、ダストカバー６００の他端小径開口部７００に設けたダストリップ７１０をナックル５００の下面（ダストカバー６００側の面）に当接することにより、水やダストのダストカバー６００内への浸入を防ぐ事が出来る。
【０００４】
しかし、図６及び図７に示すピンチボルトタイプのボールジョイントは、ナックル５００に外周面から軸４００の表面に達する切り欠き部５１０を設け、この切り欠き部５１０の間隙をボルト手段５２０により締め込む事により狭め、ナックル５００を軸４００に固定する構造としている。
【０００５】
この為、図７に示すダストカバー６００の他端小径開口部７００に、図５に示した様なダストリップ７１０を設けても水やダストのダストカバー６００内への浸入を防ぐ事が出来なかった。
【０００６】
更に、ワッシャー状のシール部材を、ナックルの下面（ダストカバー側の面）に配置する試みがなされたが、水やダストのダストカバー内への浸入を防ぐ事が出来なかった。（特許文献１）
【０００７】
特に、ナックルの揺動回転運動に伴い、ワッシャー状のシール部材が共回りすることによりシール性能を低下させていた。
【０００８】
この共回りを防止する方策として、ワッシャー状のシール部材の表面にナックルの切り欠き部に対応した凸部を設けたものが提案されたが、共回りを完全に防止ことは出来なかった。
【先行技術文献】
【特許文献】
【０００９】
【特許文献１】実開昭５８−１３０１１８号公報
【特許文献２】特開平１１−６３２４５号公報
【発明の開示】
【発明が解決しようとする課題】
【００１０】
本発明は、このような課題に鑑みてなされたものであり、ピンチボルトタイプのボールジョイントにおいて、他端小径開口部のシール性能が良好なボールジョイント用ダストカバーを提供することを目的とする。
【課題を解決するための手段】
【００１１】
本発明のボールジョイント用ダストカバーは、ボールスタッドの一端に形成された球頭部がソケット内に保持され、前記ボールスタッドの他端の軸は、切り欠き部を備えたピンチボルトタイプのボルト手段によりナックルに締め付け固定され、一端大径開口部が前記ソケットの外周面に固定保持され、他端小径開口部が前記軸に保持され、前記他端小径開口部側の前記軸上にプレート部材が保持された構成のボールジョイント用ダストカバーにおいて、前記プレート部材が、硬質材製の環状板部材と、前記環状板部材の内周側に一体的に形成されたゴム状弾性材製の環状シール部と、前記環状板部材の前記ナックル側表面に前記切り欠き部と係合するゴム状弾性材製の係合突起を設けると共に、前記環状シール部が、前記ナックルの内周面に設けた環状段部と前記軸の外周面との間で圧縮保持されていることを特徴とする。
【発明の効果】
【００１２】
本発明は、以下に記載されるような効果を奏する。
請求項１記載の発明のボールジョイント用ダストカバーによれば、プレート部材が、硬質材製の環状板部材と、この環状板部材の内周側に一体的に形成されたゴム状弾性材製の環状シール部と、環状板部材のナックル側表面に切り欠き部と係合するゴム状弾性材製の係合突起を設けると共に、環状シール部が、ナックルの内周面に設けた環状段部と軸の外周面との間で圧縮保持される構成としている為、水やダストのダストカバー内への浸入を確実に防ぐ事が出来と共に、ゴム状弾性材製の係合突起により、プレート部材の共回りを確実に防止出来る
更に、請求項２記載の発明のボールジョイント用ダストカバーによれば、環状シール部の内周面に、軸の外周面と接するシールリップ部を形成している為、水やダストのダストカバー内への浸入をより確実に防ぐ事が出来る。
【００１３】
更に、請求項３記載の発明のボールジョイント用ダストカバーによれば、他端小径開口部に設けたダストリップが、環状板部材に密接している為、ピンチボルトタイプのボールジョイントにおいても、テーパー合わせボールジョイントと同様の防水、防塵効果が得られる。
【図面の簡単な説明】
【００１４】
【図１】本発明に係るボールジョイント用ダストカバーの縦断面図。
【図２】図１の部分拡大図。
【図３】図１に使用したプレート部材の平面図。
【図４】図３のＡ−Ａ断面図。
【図５】従来技術に係るテーパー合わせボールジョイントの縦断面図。
【図６】従来技術に係るピンチボルトタイプのボールジョイントの上面図。
【図７】図６の側面図。
【発明を実施するための形態】
【００１５】
以下、本発明を実施するための態様について説明する。
図１、図２、図３及び図４に示される様に、本発明に係るボールジョイント用ダストカバー６は、ボールスタッド１の一端に形成された球頭部がソケット３内に保持され、このボールスタッド１の他端の軸４は、切り欠き部５１を備えたピンチボルトタイプのボルト手段５２によりナックル５に締め付け固定され、一端大径開口部８が、ソケット３の外周面に固定保持され、他端小径開口部７が軸４に保持され、他端小径開口部７側の軸４上にプレート部材２が保持される基本構成を備えている。
【００１６】
そして、このプレート部材２は、硬質材製の環状板部材２１と、環状板部材２１の内周側に一体的に形成されたゴム状弾性材製の環状シール部２２と、環状板部材２１のナックル５側表面に切り欠き部５１と係合するゴム状弾性材製の係合突起２３を設けると共に、この環状シール部２２が、ナックル５の内周面に設けた環状段部５２と軸４の外周面との間で圧縮保持されている。
【００１７】
この様に、環状シール部２２は、ナックル５の内周面に設けた環状段部５２と軸４の外周面との間に挿入した後、ボルト手段５２によりナックル５が締め付けられ、切り欠き部５１の間隙が小さくなることにより、環状シール部２２が環状段部５２と軸４の外周面との間で圧縮される為、良好な密封状態が達成出来る。
【００１８】
更に、図４に示す様に、環状シール部２２の内周面に、軸４の外周面と接するシールリップ部２２１を設ける事により、環状シール部２２と軸４の外周面との間のシールがより確実に達成出来る。
【００１９】
同様に、ゴム状弾性材製の係合突起２３を切り欠き部５１の間隙に挿入した後、ボルト手段５２によりナックル５が締め付けられ、切り欠き部５１の間隙が小さくなることにより、係合突起２３が確実に切り欠き部５１に保持された状態が維持できる為、プレート部材２のナックル５との共回りを確実に防げ、安定したシール性能が維持出来る。
【００２０】
また、他端小径開口部７に、環状板部材２１の下面と密接するダストリップ７１を設ける事により、ピンチボルトタイプのボールジョイントにおいても、テーパー合わせボールジョイントと同様の防水、防塵効果が得られる。
【００２１】
また、環状板部材２１の材質としては、金属材、樹脂材が適宜選択して用いられる。
【００２２】
また、ダストカバー６の材質は、クロロプレン等のゴム状弾性材や、ポリエステル系エラストマー、熱可塑性ポリウレタン等の熱可塑性エラストマーから、適宜用途に合わせ選択して使用される。
【００２３】
また、ダストカバー６内には、グリースが封入されている。
【００２４】
一方、ダストカバー６の他端小径開口部７及び一端大径開口部８には、金属補強環が埋設一体化されている。
【００２５】
また、本発明は上述の発明を実施するための最良の形態に限らず本発明の要旨を逸脱することなくその他種々の構成を採り得ることはもちろんである。
【産業上の利用可能性】
【００２６】
自動車の懸架装置及び操舵装置等に使用されるボールジョイントに使用できる。
【符号の説明】
【００２７】
１    ボールスタット
２    プレート部材
３    ソケット
４    軸
５    ナックル
６    ダストカバー
７    他端小径開口部
８    一端大径開口部
２１  環状板部材
２２  環状シール部
２３  係合突起
５１  切り欠き部
５２  ボルト手段
７１  ダストリップ
２２１シールリップ部
【図１】
2015152058.tif 000003
【図２】
2015152058.tif 000004
【図３】
2015152058.tif 000005
【図４】
2015152058.tif 000006
【図５】
2015152058.tif 000007
【図６】
2015152058.tif 000008
【図７】
2015152058.tif 000009